(57)【特許請求の範囲】
【請求項１】
建築物の基礎に埋設されたアンカーボルトと、柱に固定されたホールダウン金物との接続用ワイヤーロープ部材であって、ワイヤーロープの上部に設けた係止部材と、ワイヤーロープの下部に設けたソケット部材と、該ソケット部材の下部に該ソケット部材を介して設けた、アンカーボルトに螺合されるナット部材とから構成されており、該接続用ワイヤーロープ部材を上記ホールダウン金物の受座に設けた通孔に上方から挿通した際に、該受座の上部側において上記係止部材を受止するように構成すると共に、ソケット部材の下部に一体的に設けた雌ネジと、該雌ネジに螺合した雄ネジを有するナットとによりナット部材を構成して、該ナット部材をワイヤーロープとは無関係に独自に回転可能に構成したことを特徴とする接続用ワイヤーロープ部材。
【請求項２】
ソケット部材は、外側パイプと該外側パイプ内に抜脱しない状態で挿通された内側パイプとから構成されており、ワイヤーロープの下部を上記内側パイプに挿着すると共に、外側パイプを、内側パイプとワイヤーロープの回りで回転可能に構成し、また、ナット部材は、外側パイプの下部に一体的に設けた雌ネジと、該雌ネジに螺合した雄ネジを有するナットにより構成されている請求項１に記載の接続用ワイヤーロープ部材。
【請求項３】
建築物の柱に固定されたホールダウン金物の受座の通孔に、請求項１または２に記載の接続用ワイヤーロープ部材を上方から挿通し、該接続用ワイヤーロープ部材の下部のナット部材と建築物の基礎に埋設されたアンカーボルトの上端部とを螺合することを特徴とする建築物の柱と基礎との接続方法。
【発明の詳細な説明】
【０００１】
【発明の属する技術分野】
本発明は、接続用ワイヤーロープ部材およびその接続用ワイヤーロープ部材を用いた接続方法に関し、さらに詳しくは、建築物の基礎に埋設されたアンカーボルトと、柱に固定されたホールダウン金物との接続用ワイヤーロープ部材およびその接続用ワイヤーロープ部材を用いた建築物の柱と基礎との接続方法に関するものである。
【０００２】
【従来の技術】
建物の基礎の上部に配置した土台に柱を立設固定する際に、柱の長手方向の側面に固着したホールダウン金物と、基礎に埋設して土台の上部に突出させた埋設アンカーボルトの接続部材としては、従来より種々のものが提供されているが、施工時に、アンカーボルトの位置が多少ずれていて、アンカーボルトとホールダウン金物とを正確な位置で接続できない場合があるといった問題に対処するために、最近では上記の接続部材として、引張力に対する抵抗力が強く、柔軟性を有するワイヤーロープを採用したものが提供されている。
【０００３】
而して、上記従来の技術の場合、ワイヤーロープとホールダウン金物との接続手段は、ワイヤーロープの上端部にボルトを設け、該ボルトをホールダウン金物の受座に設けた通孔に下側から挿通して突出させ、その突出端部にナットを螺合締着するように構成されている。
【０００４】
【発明が解決しようとする課題】
然るに、ホールダウン金物の使用現場のスペースは狭いため、その狭いスペースにおける上記の接続作業を能率的に行い難い問題がある。
【０００５】
また、特にユニット住宅の場合は、ホールダウン金物の使用個所には内外壁が張られているため、工場の段階で予めホールダウン金物にワイヤーロープを接続させておく必要があり、更に、この作業は工場のライン内の作業であるため、その作業を短時間で行なう必要がある。
【０００６】
本発明は、上記の問題を解決することを課題として研究開発されたものであって、ワイヤーロープの上端部をホールダウン金物に取付ける際に、ボルトとナットの締着部材を全く用いることなく、著しく簡便容易に上記の取付けを行なうことができ且つワイヤーロープの下端部をアンカーボルトの突出端部に円滑容易に取付けることができる接続用ワイヤーロープ部材およびその接続用ワイヤーロープ部材を用いた建築物の柱と基礎との接続方法を提供することを目的とする。
【０００７】
【課題を解決するための手段】
上記の課題を解決し、その目的を達成する手段として、本発明は、建築物の基礎に埋設されたアンカーボルトと、柱に固定されたホールダウン金物との接続用ワイヤーロープ部材であって、ワイヤーロープの上部に設けた係止部材と、ワイヤーロープの下部に設けたソケット部材と、該ソケット部材の下部に該ソケット部材を介して設けた、アンカーボルトに螺合されるナット部材とから構成されており、該接続用ワイヤーロープ部材を上記ホールダウン金物の受座に設けた通孔に上方から挿通した際に、該受座の上部側において上記係止部材を受止するように構成すると共に、ソケット部材の下部に一体的に設けた雌ネジと、該雌ネジに螺合した雄ネジを有するナットとによりナット部材を構成して、該ナット部材をワイヤーロープとは無関係に独自に回転可能に構成したことを特徴とする接続用ワイヤーロープ部材を提供するものである。
【０００８】
また、本発明は、上記のように構成した接続用ワイヤーロープ部材において、ソケット部材は、外側パイプと該外側パイプ内に抜脱しない状態で挿通された内側パイプとから構成されており、ワイヤーロープの下部を上記内側パイプに挿着すると共に、外側パイプを、内側パイプとワイヤーロープの回りで回転可能に構成し、また、ナット部材は、外側パイプの下部に一体的に設けた雌ネジと、該雌ネジに螺合した雄ネジを有するナットにより構成されている接続用ワイヤーロープ部材を提供するものである。
【０００９】
さらに、本発明は、建築物の柱に固定されたホールダウン金物の受座の通孔に、上記の各接続用ワイヤーロープ部材を上方から挿通し、該接続用ワイヤーロープ部材の下部のナット部材と建築物の基礎に埋設されたアンカーボルトの上端部とを螺合することを特徴とする建築物の柱と基礎との接続方法を提供するものである。
【００１０】
【発明の実施の形態】
以下に、本発明の主要な実施の形態の幾つかについて説明する。
図１及び図２は本発明に係る接続用ワイヤーロープ部材の第１の実施の形態を示すもので、この実施の形態では、接続用ワイヤーロープ部材１は、ワイヤーロープ２、パイプからなる係止部材３、ソケット部材４、ナット部材５、ワッシャー６及びスプリングワッシャー７とから構成されている。
【００１１】
上記ナット部材５は、ソケット部材４の下部内周面に設けた左回りの雌ネジ５ａ１と、この雌ネジ５ａ１に螺合する雄ネジ５ｂを上方に突設したナット５ｃから構成されており、使用に際しては、例えば、このナット５ｃの雄ネジ５ｂをソケット部材４の雌ネジ５ａ１に必要長さまで螺合させておく。
【００１２】
而して、上記ワイヤーロープ２の上端部をパイプからなる係止部材３に挿通し、この実施の形態では、該係止部材３を全長にわたりカシメ付けることにより、ワイヤーロープ２の上部に係止部材３を一体的に取付けた後、該ワイヤーロープ２に上記スプリングワッシャー７とワッシャー６を順次に挿通し、次に、下部に上記ナット部材５を一体的に備えたソケット部材４にワイヤーロープ２の下端部を挿通し、該ソケット部材４をかしめ付けることによって、ワイヤーロープ２の下部にソケット部材４を一体的に取付けた接続用ワイヤーロープ部材１を構成したものである。
【００１３】
次に、上記のように構成した第１の実施の形態の使用状態を作用、効果と共に説明する。
図７において、（イ）は建物の基礎の埋設されて上端を土台（ロ）から突出させたアンカーボルト、（ハ）は土台（ロ）上に立設された柱、（ニ）は柱（ハ）のアンカーボルト側の側面に固設された公知のホールダウン金物であって、該ホールダウン金物（ニ）は接続用ワイヤーロープ部材１の通孔（ホ）を設けた受座（ヘ）を備えており、同図には、説明の便宜上から、本発明に係る接続用ワイヤーロープ部材１が略示されている。
【００１４】
上記の構成において、図８に略示するように、該接続用ワイヤーロープ部材１を、そのソケット部材４の側から上記ホールダウン金物（ニ）の通孔（ホ）を通してアンカーボルト（イ）側に挿通して落し込み、該通孔（ホ）を備えた受座（ヘ）の上部において、ワッシャー６及びスプリングワッシャー７（図示せず）を介在させて係止部材３の下部を受止させた後、図３に示すように、上記ナット部材５のナット５ｃをアンカーボルト（イ）の突出部に矢印方向に回転させてネジ込むと、ソケット部材４に設けた雌ネジ５ａ１に螺合してある雄ネジ５ｂもソケット部材４内にネジ込まれてソケット部材４を引き寄せるため、この引き寄せ張力により係止部材３をホールダウン金物（ニ）の受座（ヘ）に効率良く圧着させ、アンカーボルト（イ）とホールダウン金物（ニ）を接続するものである。
【００１５】
上記本発明の第１の実施の形態によれば、従来のように、狭いスペースの施工現場において、ワイヤーロープの上端部に設けたボルトをホールダウン金物の通孔に下側から挿通し、その突出端部をナットで締着するといった非能率的な作業を行う必要がなく、ホールダウン金物（ニ）の通孔（ホ）から接続用ワイヤーロープ部材１を挿通して落し込み、埋設アンカーボルト（イ）の突出端部にナット部材５を螺合するといった簡便容易な操作によって、能率的に所期の接続作業を達成できる多大な利点がある。
【００１６】
また、この実施の形態にしたがえば、接続用ワイヤーロープ部材１の全体を回転させることなく、上記のナット部材５を回転させる操作によって容易に所期の接続作業を行い得る利点がある。
なお、この実施の形態によれば、ナット５ｃの雄ネジ５ｂが雌ネジ５ａ１に一杯にネジ込まれても、なお、受座（ヘ）に対する係止部材３の圧力着が不十分な場合は、ソケット部材４を把持して接続用ワイヤーロープ部材１の全体を回転させ、そのナット５ｃをさらにアンカーボルト（イ）にネジ込むものである。
【００１７】
図４及び図５は本発明の第２の実施の形態を示しており、上記第１の実施の形態とはソケット部材４の構成のみを異にしているから、主に該ソケット部材４の構成と作用、効果について説明し、上記第１の実施の形態と同一部分には同一符号を付すと共に、同一部分の構成と作用、効果の詳細な説明は省略する。
【００１８】
この第２の実施の形態のソケット部材４は、外側パイプ４ａと該外側パイプ４ａに緩挿された短かい内側パイプ４ｂとにより構成されており、外側パイプ４ａの上端には内向きフランジ４ａ1が設けられて、内側パイプ４ｂが外側パイプ４ａの上部から抜脱しないように構成されると共に、内側パイプ４ｂにはワイヤーロープ２の下端がカシメ手段により挿着されていて、上記外側パイプ４ａは、内側パイプ４ｂとワイヤーロープ２の回りで自由に回転できるように構成されている。
【００１９】
また、この実施の形態では、外側パイプ４ａの下部にナット部材５が設けられており、このナット部材５は、外側パイプ４ａの下部内周面に設けた右回りの雌ネジ５ａ２と、この雌ネジ５ａ２に螺合する雄ネジ５ｂを上方に突設したナット５ｃから構成されており、使用に際しては、図示していないが、このナット５ｃの雄ネジ５ｂを外側パイプ４ａの雌ネジ５ａ２に一杯に螺合して外側パイプ４ａと一体化させておくものである。
【００２０】
この第２の実施の形態の使用状態を作用、効果と共に説明すれば、第１の実施の形態で述べた手順にしたがって、接続用ワイヤーロープ部材１をホールダウン金物（ニ）の通孔（ホ）を通してアンカーボルト（イ）側に挿通して落し込み、受座（ヘ）の上部に、ワッシャー６、スプリングワッシャー７を介して係止部材３を受止させた後、上記ソケット部材４の外側パイプ４ａを右回転させると、図６では明示しないが、該外側パイプ４ａと一体化されているナット５ｃはアンカーボルト（イ）の突出部に矢印方向に回転してネジ込まれる。
【００２１】
したがって、この実施の形態によれば、ワイヤーロープ２等を回転させることなく、該外側パイプ４ａとナット部材５を矢印方向に回転させるだけの軽快容易な操作によって、ナット部材５をアンカーボルト（イ）にネジ込むことができる利点があり、アンカーボルト（イ）とホールダウン金物（ニ）との接続を一層簡便容易に行い得る多大な利点がある。
【００２２】
以上、本発明の主要な実施の形態について説明したが、本発明は、これらの実施の形態に限定されるものではなく、本発明の目的を達成でき且つ本発明の要旨を逸脱しない範囲内での設計的変更は可能であって、これらの設計的変更も全て本発明の特許請求の範囲に含まれるものである。
【００２３】
【発明の効果】
本発明に係る接続用ワイヤーロープ部材によれば、建築物の基礎に埋設されたアンカーボルトと、該基礎上に立設される柱に固定されたホールダウン金物とを接続する際に、ワイヤーロープの下部に設けたナットを有するソケット部を、ホールダウン金物の受座に設けた通孔に通してアンカーボルト側に落し込み、ワイヤーロープの上部に設けた係止部材をホールダウン金物の受座に受止させて、上記ナットをアンカーボルトの突出部にネジ込むだけの簡単な操作により、上記の接続作業を容易且つ能率的に行い得るものであるから、従来のように、狭いスペースの施工現場において、ワイヤーロープの上端部に設けたボルトをホールダウン金物の受座に設けた通孔に下側から挿通し、そのボルトの突出端部をナットで締着するといった非能率的な欠点を解消できる多大な利点があり、構造も簡単で安価に提供できる効果を併有するものである。
【００２４】
また、ワイヤーロープの下端部にソケット部材を介して設けられた、アンカーボルトに螺合されるナット部材は、ワイヤーロープ等とは無関係に独自に回転可能に構成されていて、ナット部材をアンカーボルトに螺合する際に、ワイヤーロープ等を伴回りさせることがないので、著しく円滑、軽快にアンカーボルトとホールダウン金物とを接続できる多大な利点がある。
また、上記の効果は、ワイヤーロープの上端部とホールダウン金物との取付け構造の如何に関係なく達成できるものである。
【図面の簡単な説明】
【図１】  本発明の第１の実施の形態を示す正面図である。
【図２】  図１の縦断正面図である。
【図３】  そのソケット部材に設けたナット部材とアンカーボルトの螺合状態を示す簡略説明図である。
【図４】  本発明の第２の実施の形態を示す正面図である。
【図５】  図４の縦断正面図である。
【図６】  そのソケット部材に設けたナット部材とアンカーボルトの螺合状態を示す簡略説明図である。
【図７】  ホールダウン金物とアンカーボルトの配設状態を示すもので、接続用ワイヤーロープ部材を近傍に配した状態の説明図である。
【図８】  ホールダウン金物とアンカーボルトを接続用ワイヤーロープ部材により接続した状態を示す説明図である。
【符号の説明】
１    接続用ワイヤーロープ部材
２    ワイヤーロープ
３    係止部材
４    ソケット部材
４ａ  外側パイプ
４ａ1  内向きフランジ
４ｂ  内側パイプ
５    ナット部材
５ａ1  雌ネジ
５ａ2  雌ネジ
５ｂ  雄ネジ
５ｃ  ナット
６    ワッシャー
７    スプリングワッシャー
イ    アンカーボルト
ロ    土台
ハ    柱
ニ    ホールダウン金物
ホ    通孔
ヘ    受座
【図１】
0003683205.tif 000002
【図２】
0003683205.tif 000003
【図３】
0003683205.tif 000004
【図４】
0003683205.tif 000005
【図５】
0003683205.tif 000006
【図６】
0003683205.tif 000007
【図７】
0003683205.tif 000008
【図８】
0003683205.tif 000009